(57)【要約】【課題】  発電機が正常か否かを検出するための専用の回路を用いることなく使用者に異常を報知することを可能とする。【解決手段】  本発明では、洗浄水を供給する電磁弁と、水流により電力を生成する発電手段と、一対の電極を有し、電極を洗浄水中に浸した状態で発電手段により生成された電力を前記一対の電極の間に通電することにより洗浄水中に殺菌成分を添加可能とした電解手段と、電磁弁と電解手段を制御する制御手段と、電極に流れる電流を検出する電流検出手段と、電極に印加されている電圧を検出する電圧検出手段の少なくとも一方を備える便器洗浄装置において、制御手段は、電磁弁を開駆動するとともに電解手段により電極に通電しているときに、電流検出手段の検出電流もしくは電圧検出手段の検出電圧により、発電手段または電解手段の動作状態を推定するようにした。【選択図】  図１
2006097240.tif 000002
【特許請求の範囲】
【請求項１】
流路を開閉し洗浄水を供給する電磁弁と、洗浄水の水流により電力を生成する発電手段と、一対の電極を有し、前記電極を洗浄水中に浸した状態で前記発電手段により生成された電力を前記一対の電極の間に通電することにより前記洗浄水中に殺菌成分を添加可能とした電解手段と、前記電磁弁と前記電解手段を制御する制御手段と、前記電極に流れる電流を検出する電流検出手段と、前記電極に印加されている電圧を検出する電圧検出手段の少なくとも一方を備える便器洗浄装置において、前記制御手段は、前記電磁弁を開駆動するとともに前記電解手段により前記電極に通電しているときに、前記電流検出手段の検出電流もしくは前記電圧検出手段の検出電圧により、前記発電手段または前記電解手段の動作状態を推定することを特徴とする便器洗浄装置。
【請求項２】
前記制御手段は、前記電磁弁を開駆動するとともに前記電解手段により前記電極に通電しているときに、前記電流検出手段の検出電流が第一の所定値以下で、前記電圧検出手段の検出電圧が第二の所定値以下であるとき、前記発電手段の異常と推定することを特徴とする請求項１記載の便器洗浄装置。
【請求項３】
前記制御手段は、前記電磁弁を開駆動するとともに前記電解手段により前記電極に通電しているときに、前記電流検出手段の検出電流が第一の所定値以下で、前記電圧検出手段の検出電圧が第二の所定値以上であるとき、前記電極の開放異常と推定し、前記電流検出手段の検出電流が第一の所定値以上で、前記電圧検出手段の検出電圧が第二の所定値以下であるとき、前記電極の短絡異常と推定することを特徴とする請求項１又は２のいずれか一に記載の便器洗浄装置。
【請求項４】
前記発電手段もしくは前記電極の異常を報知する異常報知手段を備え、前記制御手段は、前記発電手段の異常もしくは前記電極の異常と推定した後に、前記異常報知手段を駆動することを特徴とする請求項１乃至３のいずれか一に記載の便器洗浄装置。
【請求項５】
人体の有無を検出する人体検出手段を備え、前記制御手段は、前記発電手段の異常もしくは前記電極の異常と推定した後に、前記人体検出手段が人体を検出しているときに、前記電磁弁を開駆動し、前記異常報知手段を駆動することを特徴とする請求項４に記載の便器洗浄装置。
【請求項６】
前記人体検出手段が人体無しから有りを検出したときに、前記電磁弁を所定時間開駆動する前洗浄機能を備え、前記制御手段は、前記発電手段の異常もしくは前記電極の異常と推定した後に、前記前洗浄機能が実施されているときに、前記異常報知手段を駆動することを特徴とする請求項５に記載の便器洗浄装置。
【請求項７】
前記前洗浄機能を有効とするか無効とするかを設定する前洗浄設定手段を備え、前記前洗浄設定手段により前記前洗浄機能が無効に設定されている状態で、前記発電手段の異常もしくは前記電極の異常と推定した場合、前記制御手段は、前記前洗浄機能を強制的に有効に変更することを特徴とする請求項６記載の便器洗浄装置。
【請求項８】
前記前洗浄機能の洗浄時間を変更する前洗浄時間変更手段を備え、前記前洗浄時間変更手段により前記前洗浄機能の洗浄時間が短く設定されている状態で、前記発電手段の異常もしくは前記電極の異常と推定した場合、前記制御手段は、前記前洗浄機能の洗浄時間を強制的に一番長い時間に変更することを特徴とする請求項６又は７のいずれか一に記載の便器洗浄装置。
【請求項９】
前記電極の寿命を推定する電極寿命検出手段を備え、前記電極寿命検出手段により前記電極が寿命と推定された場合に、前記制御手段は前記異常報知手段を駆動することを特徴とする請求項１乃至８のいずれか一に記載の便器洗浄装置。
【請求項１０】
前記制御手段は、前記電極の異常もしくは前記電極の寿命と推定した場合は、前記電磁弁と前記異常報知手段とを連動して駆動し、前記発電手段の異常と推定した場合は、前記電磁弁と前記異常報知手段を独立して駆動することを特徴とする請求項９に記載の便器洗浄装置。
【請求項１１】
前記一対の電極の少なくともいずれかは銀を含有し、前記殺菌成分は、銀イオンを含むことを特徴とする請求項１乃至１０のいずれか一に記載の便器洗浄装置。
【発明の詳細な説明】
【技術分野】
【０００１】
本発明は、次亜塩素酸や銀イオンなどの殺菌成分を含有した洗浄水を生成し便器に流す便器洗浄装置に係り、特に水流により発電された電力を利用して殺菌成分を生成する便器洗浄装置に関する。
【背景技術】
【０００２】
従来の発電式便器洗浄装置では、発電機の出力は波形成形回路を介してパルス信号に変換され、開閉弁を開したときのパルス信号の有無で発電機が正常かどうかを検出するようになっており、もし開閉弁を開しても波形成形回路からパルス信号が入力されない場合は発電機に異常が発生していると判定し、ＬＥＤを発光させて異常表示するようになっている（例えば、特許文献１参照。）。
このような場合、発電機が正常かどうかを検出するために専用の波形成形回路が必要となり、コストアップになるとともに製品が小型化できないという問題があった。
【０００３】
また、従来の殺菌水供給機能付便器洗浄装置では、殺菌水生成用の電極に印加される電圧もしくは電流を検出することにより、電極の寿命やオープン異常、ショート異常を検出し、人体センサの感知ＬＥＤを発光させて異常表示するようにしている（例えば、特許文献２参照。）。
しかし、この方法をそのまま発電式の殺菌水供給機能付便器洗浄装置に利用した場合、電極の寿命やオープン異常、ショート異常を検出した際に、感知ＬＥＤを発光させようとすると、感知ＬＥＤを点灯させない場合の便器洗浄装置内のセンサ、コントローラの消費電流に対して、感知ＬＥＤを点灯させた場合のセンサ、コントローラの消費電流は１００倍以上となってしまうため、蓄電手段に充電されているエネルギーやバックアップ用の電池エネルギーを短時間で消費してしまい、殺菌水の供給ができないだけではなく、通常の便器洗浄機能まで使用できなくなってしまうという問題や、あるいは便器洗浄機能が停止する前に殺菌水生成用の電極を交換し異常状態を解除したとしても、バックアップ用の電池までも同時に交換しないといけないという問題があった。
【０００４】
【特許文献１】特開平４−６８１３３号公報（第４−５頁、第６図、第８図）
【特許文献２】特開２００３−２７５５６号公報（第７−８頁、第４図、第５図）
【発明の開示】
【発明が解決しようとする課題】
【０００５】
本発明は、上記問題を解決するためになされたもので、本発明の課題は、発電機が正常か否かを検出するための専用の回路を用いることなく発電機の異常を検出することができ、しかも異常を検出した場合に蓄電手段に充電されているエネルギーやバックアップ用の電池のエネルギーを消費することなく異常を報知することができる発電式殺菌水供給機能付便器洗浄装置を提供することである。
【課題を解決するための手段】
【０００６】
上記目的を達成するために第１の発明は、流路を開閉し洗浄水を供給する電磁弁と、洗浄水の水流により電力を生成する発電手段と、一対の電極を有し、前記電極を洗浄水中に浸した状態で前記発電手段により生成された電力を前記一対の電極の間に通電することにより前記洗浄水中に殺菌成分を添加可能とした電解手段と、前記電磁弁と前記電解手段を制御する制御手段と、前記電極に流れる電流を検出する電流検出手段と、前記電極に印加されている電圧を検出する電圧検出手段の少なくとも一方を備える便器洗浄装置において、前記制御手段は、前記電磁弁を開駆動するとともに前記電解手段により前記電極に通電しているときに、前記電流検出手段の検出電流もしくは前記電圧検出手段の検出電圧により、前記発電手段または前記電解手段の動作状態を推定するようにしたことにより、発電機が洗浄か否かを検出するための専用の回路を用いることなく発電機の異常を推定することができ、製品のコストダウンや小型化が可能となりる。
【０００７】
また、第２の発明は、前記制御手段は、前記電磁弁を開駆動するとともに前記電解手段により前記電極に通電しているときに、前記電流検出手段の検出電流が第一の所定値以下で、前記電圧検出手段の検出電圧が第二の所定値以下であるとき、前記発電手段の異常と推定するようにしたので、発電機が正常か否かを検出するための専用の回路を用いることなく発電機の異常を確実に推定することが可能となる。
【０００８】
第３の発明は、前記制御手段は、前記電磁弁を開駆動するとともに前記電解手段により前記電極に通電しているときに、前記電流検出手段の検出電流が第一の所定値以下で、前記電圧検出手段の検出電圧が第二の所定値以上であるとき、前記電極の開放異常と推定し、前記電流検出手段の検出電流が第一の所定値以上で、前記電圧検出手段の検出電圧が第二の所定値以下であるとき、前記電極の短絡異常と推定するようにしたので、殺菌水生成用の電極に異常があるにもかかわらず、発電機に異常があると誤って推定してしまうことがなく、正確に異常箇所を推定することが可能となる。
【０００９】
第４の発明は、前記発電手段もしくは前記電極の異常を報知する異常報知手段を備え、前記制御手段は、前記発電手段の異常もしくは前記電極の異常と推定した後に、前記異常報知手段を駆動するようにしたので、便器洗浄システムに異常が発生していることを、使用者や設備の管理者に知らせることができるため、速やかに異常状態を取り除くことが可能となる。
【００１０】
第５の発明は、人体の有無を検出する人体検出手段を備え、前記制御手段は、前記発電手段の異常もしくは前記電極の異常と推定した後に、前記人体検出手段が人体を検出しているときに、前記電磁弁を開駆動し、前記異常報知手段を駆動するようにしたので、発電機により発電された電力により蓄電手段を充電しながら人体センサの感知ＬＥＤ等を発光させ異常を報知するようにできるため、バックアップ用電池のエネルギーを消費することなく使用者に確実に異常を知らせることが可能となる。
【００１１】
第６の発明は、前記人体検出手段が人体無しから有りを検出したときに、前記電磁弁を所定時間開駆動する前洗浄機能を備え、前記制御手段は、前記発電手段の異常もしくは前記電極の異常と推定した後に、前記前洗浄機能が実施されているときに、前記異常報知手段を駆動するようにしたので、バックアップ用電池のエネルギーを消費することなく使用者に異常を知らせると同時に、必要以上に洗浄水を流すことを防ぐことが可能となる。
【００１２】
第７の発明は、前記前洗浄機能を有効とするか無効とするかを設定する前洗浄設定手段を備え、前記前洗浄設定手段により前記前洗浄機能が無効に設定されている状態で、前記発電手段の異常もしくは前記電極の異常と推定した場合、前記制御手段は、前記前洗浄機能を強制的に有効に変更するようにしたので、便器洗浄装置の設置者により人が小便器を使用し始めたときに洗浄する前洗浄機能が無効に設定されている場合でも、バックアップ用電池のエネルギーを消費することなく使用者に異常を知らせることが可能となる。
【００１３】
第８の発明は、前記前洗浄機能の洗浄時間を変更する前洗浄時間変更手段を備え、前記前洗浄時間変更手段により前記前洗浄機能の洗浄時間が短く設定されている状態で、前記発電手段の異常もしくは前記電極の異常と推定した場合、前記制御手段は、前記前洗浄機能の洗浄時間を強制的に一番長い時間に変更するようにしたので、便器洗浄装置の設置者により人が小便器を使用し始めたときに洗浄する前洗浄の時間を短く設定されている場合でも、バックアップ用電池のエネルギーを消費することなく、しかも使用者が確実に異常に気づくように、より長い時間にわたって異常を知らせることが可能となる。
【００１４】
第９の発明は、前記電極の寿命を推定する電極寿命検出手段を備え、前記電極寿命検出手段により前記電極が寿命と推定された場合に、前記制御手段は前記異常報知手段を駆動するようにしたので、殺菌水生成用の電極が消耗し交換が必要となった場合に、使用者に確実に交換時期であることを知らせることが可能となる。
【００１５】
第１０の発明は、前記制御手段は、前記電極の異常もしくは前記電極の寿命と推定した場合は、前記電磁弁と前記異常報知手段とを連動して駆動し、前記発電手段の異常と推定した場合は、前記電磁弁と前記異常報知手段を独立して駆動するようにしたので、電解水生成用の電極の異常や寿命といったように電極には異常があるが、蓄電手段を充電するための発電きは正常であるといった場合は、蓄電池を充電しながら異常を報知することで、バックアップ用電池のエネルギーを消費することなく、使用者に確実に異常をしらせることができ、また発電機に異常が発生し蓄電手段に充電することができない場合には、電磁弁を駆動することなく異常を報知することで、充電ができないにもかかわらず電磁弁を駆動するためにエネルギーを消費することで、必要以上にバックアップ用電池のエネルギーを消費することを防ぐことが可能となる。
【００１６】
第１１の発明は、前記一対の電極の少なくともいずれかは銀を含有し、前記殺菌成分は、銀イオンを含むようにしたので、銀イオンを添加した洗浄水を流すことにより、優れた殺菌効果を得ることが可能となる。
【発明の効果】
【００１７】
本発明によれば、発電機が正常か否かを検出するための専用の回路を用いることなく発電機の異常を検出することができ、また、異常や電極の寿命を検出した場合に蓄電手段に充電されているエネルギーやバックアップ用の電池のエネルギーを不必要に消費することなく、しかも使用者に対して確実に異常を知らせることができるという効果がある。
【発明を実施するための最良の形態】
【００１８】
以下に、本発明の実施の形態について添付図面により詳細に説明する。
図１は、本発明の一実施形態に係わる便器洗浄装置の具体例を表す模式図、図２は便器洗浄装置の構成を表すブロック図である。
【００１９】
図１に示すように、発電式殺菌水供給機能付便器洗浄装置は、小便器４と小便器４に洗浄水を供給する給水管５と、給水管の途中に配設され洗浄水の吐水、止水を行うラッチング・ソレノイド・バルブからなる開閉弁２と、開閉弁２と小便器４との間に配設され電気分解により銀イオンを溶出する一対の銀電極３ａ、３ｂからなる電解槽３と、開閉弁４と電解槽３との間に配設され洗浄水の水流により電気エネルギーを発電する発電機１と、小便器を人が使用しているかどうかを検出する人体センサ２０と、発電機１から得られた電気エネルギーにより動作し、開閉弁２と電解槽３および人体センサ２０を制御する制御装置１０より構成されている。そして制御装置１０は、開閉弁２の開閉を制御する電磁弁駆動部１２と、発電機１から発電された交流の電気エネルギーを直流に変換する整流部１３と、整流部１３により直流に変換された電気エネルギーを電解槽３に供給するか、それとも蓄電部１５に供給するかを選択的に切り替える切替部１４と、発電機１から発電された電気エネルギーのうち殺菌水を生成するために必要な電力を電解槽３に供給する電解制御部１６と、発電機１から発電された電気エネルギーを蓄えて各制御部に必要な電力を供給する蓄電部１５と、電解槽３に印加されている電圧を測定する電圧測定部１７と、電解槽３に流れている電流を測定する電流測定部１８と、これらを制御する制御部１１から構成されている。
【００２０】
また図２により制御装置１０をさらに詳しく説明する。切替部１４は発電機１から発電された電気エネルギーを整流部１３を介して電解槽３に供給するための電解電力供給制御部１４ａと、発電機１から発電された電気エネルギーを整流部１３を介して蓄電部１５に供給するための充電制御部１４ｂから構成されている。また蓄電部１５は、発電機１から発電された電気エネルギーを実際に蓄えておく電気二重層コンデンサなどの蓄電手段１５ｂと、発電機１から発電された電気エネルギーを蓄電手段１５ｂに蓄電可能な電圧まで制限する電圧制限部１５ａと、発電機１から発電された電気エネルギーが不足した場合でも動作できるように備えられているバックアップ用の一次電池６の電気エネルギーを蓄電手段１５ｂに供給するための充電制御部１５ｃと、バックアップ用の一次電池６の残りの電気エネルギーを測定する電圧検出部１５ｄと、一般的に電気二重層コンデンサや二次電池なのどの蓄電手段１５ｂに蓄電可能な電圧は概ね５Ｖ以下と低くなっているため、ラッチング・ソレノイド・バルブ等を動かすのに必要な電圧まで昇圧する昇圧部１５ｅからなっている。また、電解制御部１６は、発電機１から発電された電気エネルギーはそのときの負荷の状態により非常に高くなることがあるため、電解槽３や電解制御部１６に印加される電圧を必要以上に高くしないために設けられた電圧制限部１６ａと、電解槽３に電流を供給するための電流供給部１６ｂと、電解槽３に供給する電流を、そのときの洗浄水の電気伝導度に応じて最適な電流になるよう制御するための定電流制御部１６ｃと、一対の電極の片側に絶えず正の電圧を印加し、他方に負の電圧を印加すると、電極に炭酸カルシウムなどのスケールが付着してしまうため、スケールの付着を防止するため、一方の電極に印加する電圧の極性を正負逆転するための極性切替部１６ｄとから構成されている。
【００２１】
図３は、発電機１を表す模式図である。すなわち同図（ａ）はその外観を表す斜視図であり、同図（ｂ）はその内部構造を表す断面図である。
発電機１は、発電機１ａと水車１ｂとを有し、水車１ｂは洗浄水Ｗの水流により回転し、その回転運動が発電機１ａの駆動軸に伝達される。すると、洗浄水の運動エネルギーが電気エネルギーに変換されて、電力が発生する。この電力を電解槽３に投入することにより殺菌水を生成することができる。
【００２２】
次に電解槽３における殺菌成分の生成について説明する。図４は電解槽３において銀イオンを生成する場合のメカニズムを表す概念図である。
すなわち、銀イオンを生成する場合には、電解槽３に一対の銀電極３ａおよび３ｂを設ける。厳密には正極側の電極が銀を含むだけでよいが、図２に関して前述したように極性反転させて使用することが普通であるため、両側共に銀電極とすることが望ましい。これら銀電極の間で電流を流すと電気分解反応により、銀イオンが陽極側の電極から放出される。なお、これらの銀イオンの一部は、負の電荷を持つ塩素イオンと結合して塩化銀（ＡｇＣｌ）を生成し消費されるが、未反応の銀イオンが殺菌効果を奏する。そして、この銀イオンなどの殺菌成分が添加された洗浄水を小便器等に流すと、便器および排水管の防汚性という点で秀逸な効果を発揮することが知られている。
【００２３】
小用便器への尿石の付着のメカニズムは、次のようなものと考えられる。すなわち、小用便器に排尿をすると、小用便器の表面に尿が付着するとともに、小用便器内のトラップ部に尿が滞留する。一般に、小用便器には、多数の細菌が存在する。尿には、多量の尿素が含有されているが、小用便器の表面やトラップ部の滞留水に細菌が存在すると、尿素は細菌の有する酵素ウレアーゼの作用によりアンモニアと二酸化炭素に分解される。この時生成するアンモニア量が多いと、臭気の一因となる。また、アンモニアが生成すると、小用便器の表面に付着した液体やトラップ部の滞留水に溶解し、その液体のｐＨが上昇する。ｐＨが上昇すると、小用便器の表面に付着した液体やトラップ部の滞留水に含まれるカルシウムイオンが炭酸塩やリン酸塩へと変化して析出し、「尿石」として便器や排水管に付着し、着色汚れや詰まりの原因となる。
【００２４】
これに対して、本発明に係る便器洗浄装置を小用便器に適応した態様では、次亜塩素酸や銀イオンなどの殺菌効果の高い成分を含有した洗浄水を小用便器に流すことにより、小用便器内に存在する細菌を効果的に殺菌することができる。その結果として、尿石付着の原因が排除され、小用便器は常に清浄な状態に保たれて美観を損ねることもなく、尿石の配管内への付着による汚水通過路の狭小化が防止され、また、アンモニア等による臭気の発生も防止される。
【００２５】
本発明者は、一例として、水洗便器に流す洗浄水に含まれる銀イオンの濃度と殺菌効果について調査検討を行った。その結果、銀イオンの添加量が少ないと殺菌効果が十分に得られず、一方、銀イオンの添加量が多すぎると、銀電極の消耗が激しく、また、銀イオンと同時に発生する塩化銀が便器の陶器面に付着することにより「黒ずみ」などの変色が生ずる場合があることを知得した。そして、これらの観点から、洗浄水に対する銀イオンの添加量は、１〜５０ｐｐｂの範囲内とすることが望ましいことが分かった。
【００２６】
一方、所定の濃度の銀イオン水を生成するために電解槽３に供給すべき電流、電圧、あるいは電力の値は、供給される水道水の電気伝導度によって変化する。
【００２７】
図５は、銀イオンの添加量を５ｐｐｂとするための特性線を例示するグラフ図である。すなわち、同図（ａ）において「制御電流値」と表したものは、銀イオンの添加量を５ｐｐｂとするために必要な電流値を表す。また、図５（ｂ）及び（ｃ）には、この制御電流値に対応する電圧及び電力の特性線も表した。水道水の電気伝導度が高いほど、含有される塩素イオン量が大きくなり銀イオンの溶出を阻害するため、必要とされる電流値が増大する傾向が見られる。
【００２８】
なおここで、電極間の電気伝導度と電流値との関係は、流量や印加電圧や電解槽３の構造に応じて変化する。図５に表した具体例の場合、洗浄流量は毎分１４リッターであり、銀電極３ａ、３ｂの対向部を１０ｍｍ×１０ｍｍの略正方形とし、電極間の間隔を３ｍｍとした。また、最高印加電圧を３０Ｖとし（低伝導度水の場合）、電流の最大値は３０ｍＡとした（最も清浄度が低い中水の場合）。
【００２９】
またここで、図５に表した具体例の場合、電気伝導度が約１７０ｍＳ／ｍ以上の範囲においては、電流値を３０ｍＡ一定にしている。この理由は、電気伝導度がこれ以上となるような水質の場合、一定の銀濃度を保つために３０ｍＡ以上の電流を流すと、塩化銀の生成も多量となり、塩化銀の便器表面への析出により「黒ずみ」などが懸念されるためである。但し、日本国内の中水で、この電気伝導度を上回ることはあまりないと考えられる。
【００３０】
日本国内における水道水（上水、中水）の電気伝導度は、概ね５〜１７０ｍＳ／ｍの範囲内にある。図５から分かるように、この範囲において適切な銀イオン濃度を得るためには、電解槽３に供給する電圧の範囲は、概ね４．５〜２０Ｖとすべきである。これに対して、蓄電部１５に設ける電気二重層コンデンサや２次電池に印加可能な電圧の上限は、図２に関して前述したように、概ね５Ｖ以下と低い。そこで発電機１の発電電圧は、電解槽３に合わせて高めに設計する必要がある。このため、発電機１から蓄電部１５に電力を供給する際には、降圧回路（電圧制限部１５ａ）が必要とされる。しかし、降圧回路においては一般に電力損失が発生するため、発電機１の限られた電力を効率的に利用するという観点から望ましくない。そのため、電解槽３に高い電圧を印加する必要があり、大きな電力が必要なときに、蓄電部１５に電力を供給することで電力損失を生じないように、発電機１から蓄電部１５に電力を供給するか、電解槽３に供給するかを切り替えるため、電解電力供給制御部１４ａと、充電制御部１４ｂが設けられている。
【００３１】
以上の構成において、本発明の便器洗浄装置の動作についてフローチャートにより説明する。図６は便器洗浄装置の制御の基本シーケンスを表すフローチャートで、まず便器洗浄装置はセンサ投受光処理ルーチンにてセンサ２０を投受光させ小便器４の前に人がいるか否かを検知し（Ｓ００１）、次に便器使用判定処理ルーチンにて小便器４が使用されているか否かか及び便器洗浄を行うか否かを判定し（Ｓ００２）、次に電解洗浄判定処理ルーチンにて殺菌水洗浄を行うか否かを判定し（Ｓ００３）、そして便器洗浄処理ルーチンにより、前記便器使用判定処理および電解洗浄判定処理の結果に基づいて、通常の水による便器洗浄もしくは電解槽３により殺菌成分を添加した水による殺菌水洗浄を実際に行い（Ｓ００４）、最後に人体検出時特殊処理ルーチンにより、センサ２０が人体検知中に、便器洗浄を行うか否か及び感知ＬＥＤにより表示を行うか否かの処理を行い（Ｓ００５）、これら一連の処理を繰り返すようになっている。
【００３２】
次に各サブルーチンの動作について詳細のフローチャートにより説明する。図７は便器使用判定処理を表すフローチャートである。最初にセンサ２０が小便器４の使用者を検知しているか否かをチェックするが（Ｓ１０１）、通常センサ２０は何も検知していないため、次にオフディレータイマＴoffをチェックすると（Ｓ１０５）通常は０秒となっていうるため、オンディレータイマＴonに５秒をセットし（Ｓ１０６）、次にパラメータ「人体」が「有」かどうかをチェックすると（Ｓ１０７）「無」となっているため、そのまま何もせずにこの便器使用判定処理を終了し、使用者が小便器４の前に立つのを待つ。
【００３３】
そして、小便器４の前に使用者が立ちセンサ２０が人体を検知すると（Ｓ１０１）、次にオンディレータイマＴonが０秒であるか否かをチェックする（Ｓ１０２）が、このときセンサ２０が非検知から検知に変わった直後でＴonは５秒であり０秒ではないため、そのままこの便器使用判定処理を終了し、センサ２０が小便器４の使用者を５秒以上連続して検知するのを待つこととなる。そしてセンサ２０が使用者を５秒以上連続して検知すると、オンディレータイマＴonは０秒となっているため、パラメータ「人体」を「有」に設定し（Ｓ１０３）、小便器４を使用者が使ったと判定する。そして、使用者が小便器４を使い終わったかどうかを確認するためのオフディレータイマＴoffに０．５秒をセットし（Ｓ１０４）この処理を終了する。
【００３４】
そして小便器を使ったと判定されている状態で、小便器４の前から使用者が立ち去るとセンサ２０が人体を検知しなくなるため（Ｓ１０１）、オフディレータイマＴoffが０秒であるかどうかをチェックするが（Ｓ１０５）、使用者が小便器４の前から立ち去った直後は０．５秒となっているため、そのままこの処理を終了し、小便器４の前から使用者が立ち去って０．５秒以上継続してセンサ２０が使用者を検知しなくなるのを待つ。そして、０．５秒以上経過してオフディレータイマＴoffが０秒となると（Ｓ１０５）、オンディレータイマＴonに５秒をセットし（Ｓ１０６）、パラメータ「人体」が「有」であるかどうかをチェックする（Ｓ１０７）。この時点ではパラメータ「人体」は「有」にセットされているため、通常洗浄を実行させるため引き続いてパラメータ「洗浄要求」を「有」にセットする（ステップＳ１０８）。さらに、電力供給タイマＴsupを「０．５秒」にセットし（Ｓ１０９）、パラメータ「人体」を「無」にセットする（Ｓ１１０）。そして、使用人数カウンタＣを１だけカウントアップし（ステップＳ１１１）、電解洗浄タイマＴAgを「２時間」にセットしてカウントダウンを開始させ（ステップＳ１１２）、メインルーチンに戻る。
【００３５】
このようにして使用者が小便器４を使用し、小便器４の前から立ち去った後に、再度この便器使用判定処理を実行すると、まずセンサ２０が小便器４の使用者を検知しているか否かをチェックするが（Ｓ１０１）、通常センサ２０は何も検知していないため、次にオフディレータイマＴoffをチェックすると（Ｓ１０５）通常は０秒となっていうるため、オンディレータイマＴonに５秒をセットし（Ｓ１０６）、次にパラメータ「人体」が「有」かどうかをチェックすると（Ｓ１０７）「無」となっているため、そのまま何もせずにこの便器使用判定処理を終了し、新たに使用者が小便器４の前に立つのを待つこととなる。
【００３６】
図８は電解洗浄判定処理ルーチンの内容を表すフローチャートである。まずセンサ２０が使用者を検知しているか否かをチェックし（Ｓ２０１）、検知している場合は現時点で殺菌水で洗浄しても、直後に普通の水で洗浄され殺菌効果が現れる前に殺菌水が小便器４の排水トラップや排水管から押し出されてしまう可能性があるため、殺菌水洗浄をしないようにそのままこの処理を終了しメインルーチンに戻る。検知していない場合はパラメータ「人体」が「有」であるか否かをチェックし（Ｓ２０２）、「有」の場合は同様の理由からそのままこの処理を終了しメインルーチンに戻るが、「無」の場合には次にパラメータ「電解要求」が「有」であるか否かをチェックし（Ｓ２０３）、「有」の場合には既に電解洗浄をすると判定されているため、そのままこの処理を終了しメインルーチンに戻り、「無」の場合には電解洗浄タイマＴAgが０時間であるか否かをチェックする（Ｓ２０４）。
【００３７】
電解洗浄タイマＴAgが「０」である場合は、使用者が小便器４を使用してから、もしくは前回の電解洗浄からある程度時間が経過しており細菌が増えてくる可能性があるため、電解洗浄を実行することにより殺菌を行うために、パラメータ「電解要求」をセット（Ｓ２１１）し、電力供給タイマＴsupに「０．５秒」をセットしてカウントダウンを開始させる（Ｓ２１２）。さらに、パラメータ「予備洗浄要求」をセット（Ｓ２１３）し、使用人数カウンタＣを「０」にリセットする（Ｓ２１４）。
【００３８】
一方、電解洗浄タイマＴAgが「０」でない場合（Ｓ２０４：No）は、電解洗浄タイマＴAgの残り時間と使用人数との関係に応じて、電解洗浄を実行するか否かを決定する。すなわち、小便器４の使用人数が少なければ細菌の繁殖は少ないため殺菌水による洗浄を早急に行う必要はないが、使用人数が多くなるほど細菌がより多く繁殖している可能性があるため、短い間隔で殺菌水により洗浄を行うようにすることでより効果的に尿石の付着を防止することができる。そこで電解洗浄タイマＴAgの残り時間が「０．５時間」よりも小さい場合には使用人数カウンタＣが１０以上であれば電解洗浄を実行させ（Ｓ２０５、Ｓ２０６：Yes）、電解洗浄タイマＴAgの残り時間が「１時間」よりも小さい場合には使用人数カウンタＣが５０以上であれば電解洗浄を実行させ（Ｓ２０７、Ｓ２０８：Yes）、電解洗浄タイマＴAgの残り時間が「１．５時間」よりも小さい場合には使用人数カウンタＣが１００以上であれば電解洗浄を実行させる（Ｓ２０９、Ｓ２１０：Yes）。
【００３９】
これらいずれにも該当しない場合（Ｓ２０９、Ｓ２１０：No）には、電解洗浄はまだ必要ないので、そのままこの処理を終了しメインルーチンに戻り、いずれかの条件に該当し電解洗浄を行う必要がある場合には、パラメータ「電解要求」をセットし（Ｓ２１１）、電力供給タイマＴsupを「０．５秒」にセットし（Ｓ２１２）、パラメータ「予備洗浄要求」をセットし（Ｓ２１３）、使用人数カウンタＣをリセットする（Ｓ２１４）。
【００４０】
図９は便器洗浄処理ルーチンの内容を表すフローチャートである。
すなわちまず、パラメータ「洗浄要求」が「有」であるか否かを判定する（Ｓ３０１）。「有」の場合は、通常洗浄を実行するため、まず充電電力供給をオンに設定して、発電機１からの発電出力を蓄電部１５に切り替える。そして、電力供給タイマＴsupが「０」でない場合には、発電機１と蓄電部１５とを接続した直後で発電機１の発電出力を効率よく蓄電部１５に充電できない可能性がるため、洗浄タイマＴwを「５秒」に設定（Ｓ３０４）してメインルーチンに戻る。
【００４１】
一方、充電電力供給をオンに設定してから０．５秒以上経過し電力供給タイマＴsupが「０」になった場合（Ｓ３０３：Yes）は、発電機１と蓄電部１５とを接続してから十分に時間が経過し、発電機１の出力を効率よく蓄電部１５に充電できるため、開閉弁２を開いて小便器４の洗浄を開始すると同時に発電機１の出力を蓄電部１５への充電も開始する。すなわち、洗浄タイマＴwを確認するが（Ｓ３０５、Ｓ３０６）、Ｔｗは「１秒」以上であるため、引き続きソレノイドバルブ開のフラグが「１」ではないことを確認して（Ｓ３０７）、開閉弁２を開き（Ｓ３０８）、ソレノイドバルブ開のフラグを「１」に設定され（Ｓ３０９）便器洗浄が開始される。そして、Ｔｗが「１秒」未満になるまでの間（Ｓ３０５、Ｓ３０６）の４秒間便器洗浄が継続されるが、このときソレノイドバルブ開のフラグは既に「１」にセットされているため、開閉弁２を開く処理（Ｓ３０８）は開閉弁２が閉の状態から開くとき以外は実行されない。
【００４２】
そして、４秒間の便器洗浄実施後、洗浄タイマＴｗが「１秒」以下になった場合（Ｓ３０６：No）、ソレノイドバルブ開のフラグをチェックし、「１」であれば（Ｓ３１０：Yes）、開閉弁２を閉じて（Ｓ３１１）、ソレノイドバルブ開のフラグを「０」に設定する（Ｓ３１２）。そして、その後Ｔｗが０になるまでの間、同じ処理が繰り返されるが、開閉弁２を一旦閉じる処理を行った後はソレノイドバルブ開のフラグは「０」になっているため（Ｓ３１０）、開閉弁２を閉じる処理（Ｓ３１１）は実行されない。
【００４３】
そして、開閉弁２を閉じてから１秒経過して洗浄タイマＴwが「０」になった場合（Ｓ３０５：Yes）は、切替部１４の充電制御部１４ｂをオフし発電電力の蓄電部１５への出力を遮断し（Ｓ３１３）、パラメータ「洗浄要求」をクリアする（Ｓ３１４）。
【００４４】
一方、パラメータ「洗浄要求」が「有」でない場合（Ｓ３０１：No）には、パラメータ「電解要求」が「有」であれば、後述する電解洗浄処理ルーチンを実行し（Ｓ３１６）、「有」でなければ何も行わずに処理を終了しメインルーチンに戻る。
【００４５】
以上説明したように、使用者を検知した場合には、水道水による通常洗浄を実行させる。この際に、切替部１４（充電制御部１４ｂ）を切り替えて、発電機１の出力を蓄電部１５のみに出力させることで、発電された電力を有効に活用することができる。
【００４６】
次に図１０の電解洗浄処理ルーチンを表すフローチャートにより、図９のステップＳ３１６の電解洗浄処理ルーチンについて説明する。  
すなわちまず、パラメータ「予備洗浄要求」が「有」であるか否かを判定する（Ｓ４０１）。「有」であれば電解予備洗浄を実行させるシーケンスを実行し（Ｓ４０２〜Ｓ４１５）、「有」でなければ既に電解予備洗浄処理は終了しているため、直ちに電解水洗浄処理ルーチン（Ｓ４１６）を実行する。
【００４７】
パラメータ「予備洗浄要求」が「有」の場合（Ｓ４０１：Yes）には、切替部１４（電解電力供給制御部１４ａ）を切り替えて、発電機１の出力を電解槽３に接続する（Ｓ４０２）。そして、電力供給タイマＴsupが「０」でない場合は、発電機１と電解制御部１６とを接続した直後で発電機１の発電出力を効率よく電解制御部１６に供給できない可能性がるため、予備洗浄タイマＴpreを「１１秒」にセットしてカウントダウンを開始させる（Ｓ４０４）。
【００４８】
一方、電解電力供給をオンに設定してから０．５秒以上経過し電力供給タイマＴsupが「０」になった場合（Ｓ４０３：Yes）は、発電機１と電解制御部１６とを接続してから十分に時間が経過し、発電機１の出力を効率よく電解制御部１６に充電できるため、開閉弁２を開いて電解予備洗浄を開始する。すなわち、予備洗浄タイマＴpreの残り時間を確認し（Ｓ４０５、Ｓ４０６）、Ｔpreが１秒以上であれば、続いてソレノイドバルブ開のフラグをチェックし（Ｓ４０７）、「１」でなければ開閉弁２を開く（Ｓ４０８）。そして、ソレノイドバルブ開のフラグを「１」にセットし（Ｓ４０９）、電気伝導度測定ルーチンを実行する（Ｓ４１０）。
そして、予備洗浄タイマＴpreが「１秒」未満になるまでの間（Ｓ４０５、Ｓ４０６）の１０秒間予備洗浄が継続されるが、このときソレノイドバルブ開のフラグは既に「１」にセットされているため、開閉弁２を開く処理（Ｓ４０９）と電気伝導度測定ルーチン（Ｓ４１０）は開閉弁２が閉の状態から開くときのみ実行される。
【００４９】
この電気伝導度測定ルーチンにおいては、電解槽３に所定の電力を投入し、このときの電解槽３に流れている電流を電流検出部１８で検出した結果と、電解槽３に印加されている電圧を電圧検出部１７で検出した結果とから水道水の電気伝導度を測定する。そして、予め定めたテーブルなどに基づいて、殺菌成分（銀イオン、次亜塩素酸など）が最適の濃度となるための電力投入条件を決定する。
【００５０】
そして、１０秒間の予備洗浄が終了し、予備洗浄タイマＴpreの残り時間が１秒未満になった時（Ｓ４０６：No）は、ソレノイドバルブ開のフラグをチェックし、「１」であれば（Ｓ４１１）、開閉弁２を閉じ（Ｓ４１２）、ソレノイドバルブ開のフラグに「０」をセットする（Ｓ４１３）。また、開閉弁２を一旦閉じる処理を行った後はソレノイドバルブ開のフラグは「０」になっているため（Ｓ４１１）開閉弁２を閉じる処理（Ｓ４１２）は実行されない。
そして、開閉弁２を閉じてから１秒経過して予備洗浄タイマＴpreの残り時間が０秒になった時（Ｓ４０５）は、予備洗浄を終了してよいので、予備洗浄要求をクリアし（Ｓ４１４）、電力供給タイマＴsupに「４秒」をセットしてカウントダウンを開始させる（Ｓ４１５）。
【００５１】
以上説明したように、図１０に例示したシーケンスの場合、電解予備洗浄においては、切替部１４（電解電力供給制御部１４ａ）を切り替えて、発電機１の出力を電解槽３に投入する。
【００５２】
次に電気伝導度測定ルーチン（図１０のステップＳ４１０）について図１１のフローチャートを用いて説明する。
まず、この電気伝導度測定処理は開閉弁２を開した直後で洗浄水が流れ始めたばかりで水流が安定していない可能性があるため、１秒タイマーをスタートさせて（Ｓ６０１）水流が安定するのを待つ。そして、１秒経過した後（Ｓ６０２）、再度１秒タイマーをスタートさせて（Ｓ６０３）、電解制御部１６により電解槽３に１ｍＡの電流を通電を開始し（Ｓ６０４）、電解槽３に供給される電流および電圧が安定するのを待ち（Ｓ６０５）、電解槽３への通電後１秒経過した時点で洗浄水の電気伝導度を測定するために、電解槽３に印加される電解電圧を電圧測定部１７で、そして電解槽３に流れる電解電流を電流測定部１８で検出する。
【００５３】
まず電解槽３に流れている電解電流が実際に何ｍＡ流れているかをチェックし、もし０．５ｍＡ以下であれば（Ｓ６０６）、次に電解槽３に印加されている電解電圧をチェックし、もし電解電圧が０．１Ｖ以下であれば（Ｓ６０７：Yes）発電機１に異常があり発電電力が得られていないと推定されるため発電機異常を検出する（Ｓ６０９）。このとき電解槽３に供給されている電解電流および電解電圧により発電機１の異常が推定できるのは、制御部１１により切替部１４を電解電力供給制御部１４ａはオン、充電制御部１４ｂはオフすることで、発電機１により発電された電力が電解槽３側のみに供給され、蓄電部１５側には供給されないようになっているため可能となっている。
【００５４】
また、電解電流は０．５ｍＡ以下であるが（Ｓ６０６）電解電圧が０．１Ｖより高ければ（Ｓ６０７：No）、発電機１は正常に電力を発電しているが電解槽３に電流が流れていないため、電解制御部１６から電解槽３への接続が外れていると推定し電解槽オープン異常を検出する（Ｓ６０８）。
【００５５】
つぎに電解槽に通電されている電流が何ｍＡ流れているかをチェックした結果０．５ｍＡ以上であった場合も（Ｓ６０６：No）、同様に電解槽３に印加されている電解電圧をチェックし、もし電解電圧が０．１Ｖ以下であれば（Ｓ６１５：Yes）発電機１は正常に電力を発電しているが電解槽３の一対の電極３ａ、３ｂ間に印加されている電圧が低く、通常考えられる洗浄水の電気伝導度より明らかに電気伝導度が高いため、電極３ａ、３ｂに異物が挟まっていると推定し電解槽ショート以上を検出する（Ｓ６１６）。
【００５６】
そして、これら発電機異常、電解槽オープン異常、電解槽ショート異常の場合、殺菌成分を洗浄水中に正常に溶出することができず殺菌効果を得ることができないため、即座に開閉弁２を閉するとともに（Ｓ６１０）、ソレノイドバルブ開のフラグを「０」にセットし（Ｓ６１１）、そして電解水洗浄を中止するためパラメータ「電解要求」とパラメータ「予備洗浄要求」をクリアし（Ｓ６１２、Ｓ６１３）、発電機１から電解槽３への電力供給を遮断するため切替部１４（電解電力供給部１４ａ）の駆動を停止し（Ｓ６１４）、このルーチンを終了する。
このようにして異常が検出され電解水洗浄ができなくなると、小便器４や配管内への尿石の付着を抑制することができなくなるため、センサ２０に内蔵された感知ＬＥＤ２０ａを点滅させて異常が発生していることを報知する。そうすることで使用者や設備の管理者に異常を気付かせ、正常な状態への復帰を促すことができる。
【００５７】
一方電解槽に流れている電流が０．５ｍＡ以上で（Ｓ６０６：No）、電解槽に印加されている電解電圧が０．１Ｖ以下ではない場合（Ｓ６１５：No）、電解槽に正常に電力を供給できる状態にあり、殺菌成分を洗浄水中に溶出し殺菌効果を得ることができるため、電圧測定部１７により検出された電解槽３の両端に印加された電圧と、電流測定部１８により検出された電解槽３に流れる電流とから洗浄水の電気伝導度を演算する（Ｓ６１７）。そして求められた電気伝導度から電解水洗浄（図１０のステップＳ４１６）のときに電解槽３に通電する目標電流を演算し（Ｓ６１８）、もし求められた目標電流が３０ｍＡ以上となった場合は（Ｓ６１９）図５の説明にて前述したように目標電流を３０ｍＡに設定し（Ｓ６２０）、もし演算により求められた目標電流が１ｍＡ以下となった場合は（Ｓ６２１）、同様に目標電流を１ｍＡに設定して（Ｓ６２２）このルーチンを終了する。
【００５８】
次に、図１０および図１１にて説明した電解予備洗浄において水道水の電気伝導度を測定した後に実施する電解水洗浄処理ルーチン（図１０のステップＳ４１６）について図１２のフローチャートを用いて説明する。
【００５９】
まず、電力供給タイマＴsupが０．５秒以上であるか否かを判定するが（Ｓ５０１）、最初にこの処理を実行する時点では０．５秒以上であるためそのままメインルーチンに戻り、３.５秒以上経過しＴsupが０．５秒未満となった場合には、切替部１４（電解電力供給制御部１４ａ）を切り替えて、発電機１の出力を電解槽３に接続する（Ｓ５０２）。
そしてこの時点では、切替部１４を切替えて発電機１の出力を電解槽３に接続した直後であるため、確実に電力が供給できるよう電力供給タイマＴsupが「０」になるまで、電解水洗浄タイマＴregを「１１秒」にセットしてカウントダウンを開始し（Ｓ５０３）て時間待ちする。  
【００６０】
一方、電力供給タイマＴsupが「０」となり発電電力が確実に供給できるようになった場合（Ｓ５０３：Yes）は、電解水洗浄タイマＴregの残り時間を確認し（Ｓ５０５、Ｓ５０６）、Ｔregが１秒以上であれば、続いてソレノイドバルブ開のフラグをチェックし（Ｓ５０７）、「１」でなければ開閉弁２を開く（Ｓ５０８）。そして、ソレノイドバルブ開のフラグを「１」にセットし（Ｓ５０９）、発電機１からの発電電力を図１２の電気伝導度測定処理ルーチンにより求められた目標電流になるように制御しながら電解槽３に投入して電解水を生成させる（Ｓ５１０）。
そして電解水洗浄タイマＴregが１秒未満になるまでの間（Ｓ５０５、Ｓ５０６）の１０秒間電解水洗浄が継続されるが、このときソレノイドバルブ開のフラグは既に「１」にセットされているため、開閉弁２を開く処理（Ｓ５０８）は開閉弁２が閉の状態から開状態にされるとき以外は実行されない。
【００６１】
そして、電解水洗浄タイマＴregの残り時間が１秒未満になった時（Ｓ５０６：No）は、ソレノイドバルブ開のフラグをチェックし、「１」であれば（Ｓ５１１）、開閉弁２を閉じ（Ｓ５１２）、ソレノイドバルブ開のフラグに「０」をセットし（Ｓ５１３）、開閉弁２を一旦閉じる処理を行った後はソレノイドバルブ開のフラグは「０」になっているため（Ｓ５１１）開閉弁２００を閉じる処理（Ｓ５１２）は実行されない。
【００６２】
そして開閉弁２を閉じてから１秒経過して電解水洗浄タイマＴregの残り時間が０秒になった時（Ｓ５０５）は、電解水洗浄を終了してよいので、電解要求をクリアし（Ｓ５１４）、電解水の生成を停止し（Ｓ５１５）、切替部１４（電解電力供給制御部１４ａ）を切り替えて、発電機１の出力を電解槽３から遮断し（Ｓ５１６）、電解洗浄タイマＴAgに１２時間をセットする（Ｓ５１７）。さらに、電解水洗浄が１回終了したので、パラメータ「電解回数」を１だけカウントアップし（Ｓ５１８）、トータルの電解回数が２００００回以上となったか否かをチェックし（Ｓ５１９）、２００００回未満であればそのままこの処理を終了しメインルーチンに戻るが、もし２００００回以上であれば電解槽３の電極３ａ、３ｂから既に多量の銀が溶出したため、１回あたりの電解による銀イオンの溶出量では十分な殺菌効果を得られない可能性があるため、使用者に電解槽の交換を促すために電極寿命を検出する（Ｓ５２０）。
【００６３】
次に人体検出時特殊処理ルーチン（図６のステップＳ００５）について図１３のフローチャートを用いて説明する。
まず、図７の便器使用判定処理の説明にて前述したパラメータ「人体」が「有」かどうかをチェックし（Ｓ７０１）、人体「無」であればセンサ２０に内蔵されたＬＥＤ２０ａを消灯し（Ｓ７１１）この処理を終了する。もし人体「有」である場合には、図１１および図１２の説明で前述した発電機異常が検出されていないか（Ｓ７０２）、電解槽オープン異常が検出されていないか（Ｓ７０３）、電解槽ショート異常が検出されていないか（Ｓ７０４）、電極寿命が検出されていないか（Ｓ７０５）を順次チェックし、いずれの異常も検出されていない場合にはそのままこの処理を終了する。
【００６４】
もし、前記４つの異常のうちいずれかの異常が検出されている場合には、まず充電電力供給をオンに設定して（Ｓ７０６）、発電機１からの発電出力を蓄電部１５に切り替え、続いてソレノイドバルブ開のフラグが「１」ではないことを確認して（Ｓ７０７）、開閉弁２を開き（Ｓ７０８）、ソレノイドバルブ開のフラグを「１」に設定し（Ｓ７０８）便器洗浄を開始する。それからセンサ２０に内蔵された感知ＬＥＤ２０ａを点滅させて（Ｓ７１０）使用者に便器洗浄装置に異常があることを知らせる。このときセンサ２０に内蔵されている感知ＬＥＤ２０ａを点滅させることで蓄電部１５に充電された電力を大きく消費してしまうが、同時に開閉弁２を開き発電機１で発電された電力を蓄電部１５に供給することで、消費される電力を補うようになっているため、蓄電部１５に充電された電力が不足したときのバックアップのために備えられた一次電池６を無駄に消費することがないようにしている。
【００６５】
以上のフローチャートに従って制御された場合の、便器洗浄装置の動作の具体例について図１４のタイミングチャートを用いて説明する。図１４（ａ）は発電機異常、電解槽オープン異常、電解槽ショート異常が発生した場合のタイミングチャートで、まず使用者が小便器４を使用しセンサ２０が使用者を５秒以上連続して検知した後、小便器４の前から立ち去ると切替部１４の充電制御部１４ｂをオンし開閉弁２（ソレノイド）を開し便器洗浄を行いながら、発電機１の発電電力を蓄電部１５に充電する。
【００６６】
その後、小便器４を誰も使用しない時間がｔ２時間（小便器４の使用頻度により可変する）継続した場合、小便器４の排水トラップや排水管内の細菌を殺菌するために電解水洗浄を実施する必要があるため、まず予備洗浄を行い排水トラップや配水管内の残水を置換するが、このとき切替部１４の電解電力供給制御部１４ａをオンし開閉弁２を開し便器洗浄を行いながら、発電機１の発電電力を電解制御部１６により電解槽３に１秒間供給し、洗浄水の電気伝導度を測定する。そして洗浄水の電気伝導度の測定が完了すると電解電力供給部による電解槽３への発電電力の供給を終了し、残りの予備洗浄の時間は通常の水による洗浄を継続する。その後、所定のインターバルの後、再度開閉弁２を開駆動し予備洗浄時に測定した洗浄水の電気伝導度に基づいた電流が電解槽３に通電されるように電解制御部１６により制御しながら電解水洗浄を行う。
【００６７】
そして同様の動作が繰り返され、再度電解水洗浄を実施するタイミングとなったとき、まず予備洗浄と同時に洗浄水の電気伝導度の測定が行われるが、このとき発電機１より電解槽３に通電される電解電流および電解電圧のいずれか一方あるいは双方が所定値以下であった場合、その電圧・電流値に応じて発電機異常、電解槽オープン異常、電解槽ショート異常のいずれかが検出され、予備洗浄は直ちに停止し、電解水洗浄も行われない。その後、使用者が小便器４を使用しセンサ２０が使用者を５秒以上連続して検知すると、この小便器洗浄システムに異常があることを使用者に報知するために、切替部１４の充電制御部１４ｂをオンすると同時に開閉弁２を開駆動し、小便器４に洗浄水を流し発電機１の発電出力を蓄電部１５に充電しながら、センサ２０に内蔵された感知ＬＥＤ２０ａを点滅させる。このようにして感知ＬＥＤを点滅させることで蓄電部１５に充電された電力を大量に消費し、蓄電部１５の充電電力が不足し、バックアップ用の一次電池のエネルギーを不必要に消費してしまうことを防止する。そして、使用者が小便器４の前から立ち去りセンサ２０が使用者を検知しなくなると、センサ２０の感知ＬＥＤ２０ａを消灯し使用者への報知を終了し、所定の便器洗浄時間が終了後、開閉弁２を閉駆動し切替部１４の充電制御部１４ｂをオフして発電機１と蓄電部１５との接続が遮断される。そして以降も使用者が小便器４を使用する度に同様の動作が繰り返される。
【００６８】
図１４（ｂ）は電極寿命となった場合のタイミングチャートで、まず（ａ）の場合と同様の動作が行われるが、タイミングチャート内で二度目の電解水洗浄のタイミングが通算２００００回目の電解水洗浄とななり、予備洗浄および電解水洗浄が終了した時点で電極寿命が検出される。その後、使用者が小便器４を使用しセンサ２０が使用者を５秒以上連続して検知すると、この小便器洗浄システムに異常があることを使用者に報知するために、切替部１４の充電制御部１４ｂをオンすると同時に開閉弁２を開駆動し、小便器４に洗浄水の流し発電機１の発電出力を蓄電部１５に充電しながら、センサ２０に内蔵された感知ＬＥＤ２０ａを点滅させる。そして、使用者が小便器４の前から立ち去りセンサ２０が使用者を検知しなくなると、センサ２０の感知ＬＥＤ２０ａを消灯し使用者への報知を終了し、所定の便器洗浄時間が終了後、開閉弁２を閉駆動し切替部１４の充電制御部１４ｂをオフして発電機１と蓄電部１５との接続が遮断される。そして以降も使用者が小便器４を使用する度に同様の動作が繰り返される。
【００６９】
次に便器洗浄装置の人体検出時特殊処理に関する別の実施形態について図１５を用いて説明する。
まず、センサ２０が使用者を検知したかどうかをチェックし（Ｓ７０１）、検知していなければセンサ２０に内蔵されたＬＥＤ２０ａを消灯し（Ｓ７２０）この処理を終了する。センサが使用者を検知している場合には、次に図７の説明で前述したオンディレータイマＴonが３秒以下かどうかをチェックし（Ｓ７０２）、Ｔonが３秒以上であればセンサ２０に内蔵されたＬＥＤ２０ａを消灯し（Ｓ７２０）この処理を終了する。もしオンディレータイマＴonが３秒以下となっている場合、センサ２０が使用者を感知してから２秒以上経っており、使用者が小便器４の前を通過しただけではなく、確実に小便器４を使用していると判断し、次に使用者が小便器４の使用を開始したタイミングで小便器４を一旦洗浄する前洗浄を実施するため、前洗浄機能を有効とするか無効とするかの設定がどうなっているかをチェックする（Ｓ７０３）。前洗浄機能が無効に設定されている場合には、図１１および図１２の説明で前述した発電機異常、電解槽オープン異常電解槽ショート異常、電極寿命のいずれかの異常が検出されていないかをチェックし（Ｓ７０４）、異常が検出されていなければセンサ２０に内蔵されたＬＥＤ２０ａを消灯し（Ｓ７２０）この処理を終了する。
【００７０】
もし、前洗浄機能が有効に設定されているか、あるいは前洗浄機能は無効に設定されているが前記４つの異常のうちいずれかの異常が検出されている場合には、前洗浄機能を実施するための処理に進む。まず、オンディレータイマＴonが２秒以下かどうかをチェックするが（Ｓ７０５）、最初にこのステップを処理する時点では２秒以上であるため、次にＴonが０秒になっているかどうかをチェックし０秒ではないため（Ｓ７０７）、充電電力供給をオンに設定して（Ｓ７０８）、発電機１からの発電出力を蓄電部１５に切り替え、続いてソレノイドバルブ開のフラグが「１」ではないことを確認して（Ｓ７０９）、開閉弁２を開き（Ｓ７１０）、ソレノイドバルブ開のフラグを「１」に設定し（Ｓ７１１）便器洗浄を開始する。そして前述した４つの異常を検出しているかをどうかをチェックし（Ｓ７１２）、異常を検出していなければそのままこの処理を終了し単に前洗浄を実施するが、もし異常を検出していればセンサ２０に内蔵された感知ＬＥＤ２０ａを点滅させて（Ｓ７１３）使用者に便器洗浄装置に異常があることを知らせる。このときセンサ２０に内蔵されている感知ＬＥＤ２０ａを点滅させることで蓄電部１５に充電された電力を大きく消費してしまうが、同時に前洗浄が実施されることになり、発電機１で発電された電力を蓄電部１５に供給することで、消費される電力を補うようになっているため、蓄電部１５に充電された電力が不足したときのバックアップのために備えられた一次電池６を無駄に消費することがないようにしている。
【００７１】
そして、前洗浄を開始してから１秒経過するとオンディレータイマＴonが２秒以下となるため（Ｓ７０５：No）、次に前洗浄の時間が長く設定されているか（本実施例では３秒）、短く設定されているか（本実施例では１秒）をチェックし（Ｓ７０６）、前洗浄時間が３秒に設定されていれば、そのまま前洗浄を継続する（Ｓ７０７〜Ｓ７１３）。もし前洗浄時間が１秒に設定されている場合には、次に前記４つの異常のうちいずれかの異常が検出されているかどうかをチェックし（Ｓ７１４）、もし異常が検出されている場合は使用者に異常を少しでも長く知らせるために、そのまま前洗浄を継続しする（Ｓ７０７〜Ｓ７１３）。異常が検出されていない場合には、前洗浄時間が終了したため、ソレノイドバルブ開のフラグをチェックし、「１」であれば（Ｓ７１５）、開閉弁２を閉じ（Ｓ７１６）、ソレノイドバルブ開のフラグに「０」をセットする（Ｓ７１７）。また、開閉弁２を一旦閉じる処理を行った後はソレノイドバルブ開のフラグは「０」になっているため（Ｓ７１５）開閉弁２を閉じる処理（Ｓ７１６）は実行されない。そしてセンサ２０に内蔵されている感知ＬＥＤ２０ａを消灯し（Ｓ７１８）、切替部１４の充電制御部１４ｂをオフして（Ｓ７１９）発電機１と蓄電部１５との接続が遮断され、この処理を終了する。
【００７２】
もし前洗浄時間が３秒に設定されているか（Ｓ７０６：Yes）、あるいは前洗浄時間は１秒に設定されているが前述した４つの異常のいずれかが発生している場合には（Ｓ７１４：Yes）、オンディレータイマＴonが０秒になるまで（Ｓ７０７）前洗浄を継続するとともに、もし異常が発生している場合にはセンサ２０に内蔵された感知ＬＥＤ２０ａを点滅させて使用者に異常の報知を行い、３秒間の前洗浄を実施後、前洗浄終了処理を実施する（Ｓ７１５〜Ｓ７１９）。
【００７３】
以上のフローチャートに従って制御された場合の、便器洗浄装置の動作の具体例について図１６のタイミングチャートを用いて説明する。図１６（ａ）は前洗浄機能「有効」、前洗浄時間「３秒」に設定されている場合を表すタイミングチャートで、まず使用者が小便器４を使用しセンサ２０が使用者を２秒以上連続して検知すると、切替部１４の充電制御部１４ｂをオンし開閉弁２（ソレノイド）を開し便器洗浄を行いながら発電機１の発電電力を蓄電部１５に充電する。そして３秒経過すると開閉弁２を閉し前洗浄を終了し、切替部１４の充電制御部１４ｂをオフする。その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
【００７４】
その後、小便器４を誰も使用しない時間がｔ２時間（小便器４の使用頻度により可変する）継続した場合、小便器４の排水トラップや排水管内の細菌を殺菌するために電解水洗浄を実施する必要があるため、まず予備洗浄を行い排水トラップや配水管内の残水を置換するが、このとき切替部１４の電解電力供給制御部１４ａをオンし開閉弁２を開して便器洗浄を行いながら、発電機１の発電電力を電解制御部１６により電解槽３に１秒間供給し、洗浄水の電気伝導度を測定する。そして洗浄水の電気伝導度の測定が完了すると電解制御部１６による電解槽３への発電電力の供給を終了し、残りの予備洗浄の時間は通常の水による洗浄を継続する。その後、所定のインターバルの後、再度開閉弁２を開駆動し予備洗浄時に測定した洗浄水の電気伝導度に基づいた電流が電解槽３に通電されるように電解制御部１６により制御しながら電解水洗浄を行う。
【００７５】
そして同様の動作が繰り返され、再度電解水洗浄を実施するタイミングとなったとき、まず予備洗浄と同時に洗浄水の電気伝導度の測定が行われるが、このとき発電機１より電解槽３に通電される電解電流および電解電圧のいずれか一方あるいは双方が所定値以下であった場合、その電圧・電流値に応じて発電機異常、電解槽オープン異常、電解槽ショート異常のいずれかが検出され、予備洗浄は直ちに停止し、電解水洗浄も行われない。その後、使用者が小便器４を使用しセンサ２０が使用者を２秒以上連続して検知すると、前洗浄を実施するため切替部１４の充電制御部１４ｂをオンし開閉弁２を開することで発電機１の発電出力を蓄電部１５に充電するが、このとき小便器洗浄システムに異常があることを使用者に報知するためにセンサ２０に内蔵された感知ＬＥＤ２０ａを点滅させる。このようにすることで感知ＬＥＤ２０ａを点滅させることで蓄電部１５に充電された電力を大量に消費し、蓄電部１５の充電電力が不足し、バックアップ用の一次電池のエネルギーを不必要に消費してしまうことを防止すると同時に、使用者に小便器洗浄システムの異常が発生していることを確実に報知することができる。そして前洗浄時間の３秒が終了すると、センサ２０の感知ＬＥＤ２０ａを消灯し使用者への報知を終了し、開閉弁２を閉駆動し切替部１４の充電制御部１４ｂをオフして発電機１と蓄電部１５との接続を遮断する。
【００７６】
その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
そして以降も使用者が小便器４を使用する度に同様の動作が繰り返される。
【００７７】
図１６（ｂ）は前洗浄機能「有効」、前洗浄時間「１秒」に設定されている場合を表すタイミングチャートで、まず使用者が小便器４を使用しセンサ２０が使用者を２秒以上連続して検知すると、切替部１４の充電制御部１４ｂをオンし開閉弁２（ソレノイド）を開し便器洗浄を行いながら発電機１の発電電力を蓄電部１５に充電する。そして１秒経過すると開閉弁２を閉し前洗浄を終了し、切替部１４の充電制御部１４ｂをオフする。そして、センサ２０が使用者を検知し始めてから５秒以上経過した後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
【００７８】
その後、図１６（ａ）で説明したように電解水洗浄が実施されるが、もし発電機異常、電解槽オープン異常、電解槽ショート異常のいずれかが検出された場合は、その後使用者が小便器４を使用しセンサ２０が使用者を２秒以上連続して検知すると、前洗浄を実施するため切替部１４の充電制御部１４ｂをオンし開閉弁２を開することで発電機１の発電出力を蓄電部１５に充電するが、このとき小便器洗浄システムに異常があることを使用者に報知するためにセンサ２０に内蔵された感知ＬＥＤ２０ａを点滅させる。このとき前洗浄時間の設定としては「１秒」となっているが、使用者に小便器洗浄システムに異常があることを確実に報知するために、前洗浄時間は強制的に「３秒」に伸ばして実施され、その後センサ２０の感知ＬＥＤ２０ａを消灯し使用者への報知を終了し、開閉弁２を閉駆動して前洗浄を終了するとともに、切替部１４の充電制御部１４ｂをオフして発電機１と蓄電部１５との接続を遮断する。
【００７９】
その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
そして以降も使用者が小便器４を使用する度に同様の動作が繰り返される。
【００８０】
図１６（ｃ）は前洗浄機能が「無効」に設定されている場合を表すタイミングチャートで、まず使用者が小便器４を使用しセンサ２０が使用者を２秒以上連続して検知するが、前洗浄機能が「無効」に設定されているため前洗浄は実施されない。そして、センサ２０が使用者を検知し始めてから５秒以上経過した後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
【００８１】
その後、図１６（ａ）で説明したように電解水洗浄が実施されるが、もし発電機異常、電解槽オープン異常、電解槽ショート異常のいずれかが検出されたとする。異常が検出された後に使用者が小便器４を使用した場合、センサ２０が使用者を２秒以上連続して検知した時点で、前洗浄を実施するかしないかが判断される、このとき前洗浄機能は「無効」に設定されているため、本来は前洗浄は実施されないが、使用者に小便器洗浄システムに異常があることを報知するとともに、報知のために増大した消費を補うため発電機１で発電された電力を蓄電部１５に充電するよう前洗浄機能を強制的に「有効」とし、なおかつ前洗浄時間は設定状態にかかわらず「３秒」として、前洗浄が実施され、同時にその間センサ２０の感知ＬＥＤ２０ａを点滅させる。その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
そして以降も使用者が小便器４を使用する度に同様の動作が繰り返される。
【００８２】
これまで説明してきた例では洗浄水の電気伝導度を予備洗浄時に測定するようにしていたが、次に洗浄水の電気伝導度を電解水洗浄時に測定する実施形態について図１７〜図２０を用いて説明する。図１７は電解洗浄処理（図９のステップＳ３１６）を表すフローチャートで、まず、パラメータ「予備洗浄要求」が「有」であるか否かを判定する（Ｓ４０１）。「有」であれば電解予備洗浄を実行させるシーケンスを実行し（Ｓ４０２〜Ｓ４１５）、「有」でなければ既に電解予備洗浄処理は終了しているため、直ちに電解水洗浄処理ルーチン（Ｓ４１６）を実行する。
【００８３】
パラメータ「予備洗浄要求」が「有」の場合（Ｓ４０１：Yes）には、切替部１４の充電電力供給制御部１４ｂをオンして、発電機１の出力を蓄電部１５に接続する（Ｓ４０２）。そして、電力供給タイマＴsupが「０」でない場合は、発電機１と蓄電部１５とを接続した直後で発電機１の発電出力を効率よく蓄電部１５に供給できない可能性がるため、予備洗浄タイマＴpreを「１１秒」にセットしてカウントダウンを開始させる（Ｓ４０４）。
【００８４】
一方、電解電力供給をオンに設定してから０．５秒以上経過し電力供給タイマＴsupが「０」になった場合（Ｓ４０３：Yes）は、発電機１と蓄電部１５とを接続してから十分に時間が経過し、発電機１の出力を効率よく蓄電部１５に充電できるため、開閉弁２を開いて電解予備洗浄を開始する。すなわち、予備洗浄タイマＴpreの残り時間を確認し（Ｓ４０５、Ｓ４０６）、Ｔpreが１秒以上であれば、続いてソレノイドバルブ開のフラグをチェックし（Ｓ４０７）、「１」でなければ開閉弁２を開く（Ｓ４０８）。そして、ソレノイドバルブ開のフラグを「１」にセットし（Ｓ４０９）、この処理を終了する。そして、予備洗浄タイマＴpreが「１秒」未満になるまでの間（Ｓ４０５、Ｓ４０６）の１０秒間予備洗浄が継続されるが、このときソレノイドバルブ開のフラグは既に「１」にセットされているため、開閉弁２を開く処理（Ｓ４０９）は開閉弁２が閉の状態から開くときのみ実行される。
【００８５】
そして、１０秒間の予備洗浄が終了し、予備洗浄タイマＴpreの残り時間が１秒未満になった時（Ｓ４０６：No）は、ソレノイドバルブ開のフラグをチェックし、「１」であれば（Ｓ４１０）、開閉弁２を閉じ（Ｓ４１１）、ソレノイドバルブ開のフラグに「０」をセットする（Ｓ４１２）。また、開閉弁２を一旦閉じる処理を行った後はソレノイドバルブ開のフラグは「０」になっているため（Ｓ４１０）開閉弁２を閉じる処理（Ｓ４１１）は実行されない。
そして、開閉弁２を閉じてから１秒経過して予備洗浄タイマＴpreの残り時間が０秒になった時（Ｓ４０５：Yes）は、予備洗浄を終了してよいので、予備洗浄要求をクリアし（Ｓ４１３）、電力供給タイマＴsupに「４秒」をセットしてカウントダウンを開始させ（Ｓ４１５）、切替部１４の充電電力供給制御部１４ｂをオフし発電機１と蓄電部１５との接続を遮断し、この処理を終了する。
【００８６】
次に、電解水洗浄処理ルーチン（図１７のステップＳ４１６）について図１８のフローチャートを用いて説明する。まず、電力供給タイマＴsupが０．５秒以上であるか否かを判定し（Ｓ５０１）、０．５秒以上の場合はそのままメインルーチンに戻り、０．５秒未満の場合には、切替部１４の電解電力供給制御部１４ａをオンして、発電機１の出力を電解槽３に接続する（Ｓ５０２）。
そしてこの時点では、切替部１４を切替えて発電機１の出力を電解槽３に接続した直後であるため、確実に電力が供給できるよう電力供給タイマＴsupが「０」になるまで、電解水洗浄タイマＴregを「１１秒」にセットしてカウントダウンを開始して時間待ちする（Ｓ５０３）。  
【００８７】
一方、電力供給タイマＴsupが「０」となり発電電力が確実に供給できるようになった場合（Ｓ５０３：Yes）は、電解水洗浄タイマＴregの残り時間を確認し（Ｓ５０５、Ｓ５０６）、Ｔregが１秒以上であれば、続いてソレノイドバルブ開のフラグをチェックし（Ｓ５０７）、「１」でなければ開閉弁２を開く（Ｓ５０８）。そして、ソレノイドバルブ開のフラグを「１」にセットし（Ｓ５０９）、発電機１からの発電電力を後述する図１９の電気伝導度測定処理ルーチンにより求められた目標電流になるように制御しながら電解槽３に投入して殺菌水を生成させる（Ｓ５１０）。ただし、最初の電解水洗浄で目標電流がまだ決定されていない場合は、最小の電流値により制御を開始する。そして電解槽３への通電を開始した後、電気伝導度測定処理（Ｓ５２１）を実施し、このときの電解槽３に流れている電流を電流検出部１８で検出した結果と、電解槽３に印加されている電圧を電圧検出部１７で検出した結果とから水道水の電気伝導度を測定する。そして、予め定めたテーブルなどに基づいて、殺菌成分（銀イオン、次亜塩素酸など）が最適の濃度となるための電力投入条件を決定する。
そして電解水洗浄タイマＴregが１秒未満になるまでの間（Ｓ５０５、Ｓ５０６）の１０秒間電解水洗浄が継続されるが、このときソレノイドバルブ開のフラグは既に「１」にセットされているため、開閉弁２を開く処理（Ｓ５０８）は開閉弁２が閉の状態から開状態にされるとき以外は実行されない。
【００８８】
そして、電解水洗浄タイマＴregの残り時間が１秒未満になった時（Ｓ５０６：No）は、ソレノイドバルブ開のフラグをチェックし、「１」であれば（Ｓ５１１）、開閉弁２を閉じ（Ｓ５１２）、ソレノイドバルブ開のフラグに「０」をセットし（Ｓ５１３）、開閉弁２を一旦閉じる処理を行った後はソレノイドバルブ開のフラグは「０」になっているため（Ｓ５１１）開閉弁２００を閉じる処理（Ｓ５１２）は実行されない。
【００８９】
そして開閉弁２を閉じてから１秒経過して電解水洗浄タイマＴregの残り時間が０秒になった時（Ｓ５０５：Yes）は、電解水洗浄を終了してよいので、電解要求をクリアし（Ｓ５１４）、電解水の生成を停止し（Ｓ５１５）、切替部１４（電解電力供給制御部１４ａ）を切り替えて、発電機１の出力を電解槽３から遮断する（Ｓ５１６）。そしてこの後小便器４が使用されることなく１２時間経過した場合に再度殺菌水洗浄を実施するため、電解洗浄タイマＴAgに１２時間をセットする（Ｓ５１７）。さらに、電解水洗浄が１回終了したので、パラメータ「電解回数」を１だけカウントアップし（Ｓ５１８）、トータルの電解回数が２００００回以上となったか否かをチェックし（Ｓ５１９）、２００００回未満であればそのままこの処理を終了しメインルーチンに戻るが、もし２００００回以上であれば電解槽３の電極３ａ、３ｂから既に多量の銀が溶出したため、１回あたりの電解による銀イオンの溶出量では十分な殺菌効果を得られない可能性があるため、使用者に電解槽の交換を促すために電極寿命を検出する（Ｓ５２０）。
【００９０】
次に電気伝導度測定ルーチン（図１８のステップＳ５２１）について図１９のフローチャートを用いて説明する。
まず、この電気伝導度測定処理は開閉弁２を開した直後で洗浄水が流れ始めたばかりで水流が安定していない可能性があるため、１秒タイマーをスタートさせて（Ｓ６０１）水流が安定するのを待つ。そして１秒経過した後（Ｓ６０２）、洗浄水の電気伝導度を測定するために、電解槽３に印加される電圧を電圧測定部１７で、そして電解槽３に流れる電流を電流測定部１８で検出する。
【００９１】
まず電解槽３に流れている電解電流をチェックし、もし０．５ｍＡ以下であれば（Ｓ６０６）、次に電解槽３に印加されている電解電圧をチェックし、もし電解電圧が１．０Ｖ以下であれば（Ｓ６０７：Yes）発電機１に異常があり発電電力が得られていないと推定されるため発電機異常を検出する（Ｓ６０９）。このとき電解槽３に供給されている電解電流および電解電圧により発電機１の異常が推定できるのは、制御部１１により切替部１４を電解電力供給制御部１４ａはオン、充電制御部１４ｂはオフすることで、発電機１により発電された電力が電解槽３側のみに供給され、蓄電部１５側には供給されないようになっているため可能となっている。
【００９２】
また、電解電流は０．５ｍＡ以下であるが（Ｓ６０６）電解電圧が１．０Ｖより高ければ（Ｓ６０７：No）、発電機１は正常に電力を発電しているが電解槽３に電流が流れていないため、電解制御部１６から電解槽３への接続が外れていると推定し電解槽オープン異常を検出する（Ｓ６０８）。
【００９３】
つぎに電解槽に通電されている電流をチェックした結果０．５ｍＡ以上であった場合も（Ｓ６０６：No）、同様に電解槽３に印加されている電解電圧をチェックし、もし電解電圧が１．０Ｖ以下であれば（Ｓ６１５：Yes）発電機１は正常に電力を発電しているが電解槽３の一対の電極３ａ、３ｂ間に印加されている電圧が低く、通常考えられる洗浄水の電気伝導度より明らかに電気伝導度が高いため、電極３ａ、３ｂに異物が挟まっていると推定し電解槽ショート異常を検出する（Ｓ６１６）。
【００９４】
そして、これら発電機異常、電解槽オープン異常、電解槽ショート異常の場合、殺菌成分を洗浄水中に正常に溶出することができず殺菌効果を得ることができないため、即座に開閉弁２を閉するとともに（Ｓ６１０）、ソレノイドバルブ開のフラグを「０」にセットし（Ｓ６１１）、そして電解水洗浄を中止するためパラメータ「電解要求」をクリアし（Ｓ６１２）、発電機１から電解槽３への電力供給を遮断するため切替部１４の電解電力供給部１４ａの駆動を停止し（Ｓ６１４）、このルーチンを終了する。
【００９５】
一方電解槽に流れている電流が０．５ｍＡ以上で（Ｓ６０６：No）、電解槽に印加されている電解電圧が１．０Ｖ以下ではない場合（Ｓ６１５：No）、電解槽に正常に電力を供給できる状態にあり殺菌水洗浄により殺菌効果を得ることができるため、電圧測定部１７により検出された電解槽３の両端に印加された電圧と、電流測定部１８により検出された電解槽３に流れる電流とから洗浄水の電気伝導度を演算する（Ｓ６１７）。そして求められた電気伝導度から電解水洗浄（図１０のステップＳ４１６）のときに電解槽３に通電する目標電流を演算し（Ｓ６１８）、もし求められた目標電流が３０ｍＡ以上となった場合は（Ｓ６１９）図５の説明にて前述したように目標電流を３０ｍＡに設定し（Ｓ６２０）、もし演算により求められた目標電流が１ｍＡ以下となった場合は（Ｓ６２１）、同様に目標電流を１ｍＡに設定して（Ｓ６２２）このルーチンを終了する。
【００９６】
次に便器洗浄装置の人体検出時特殊処理に関する別の実施形態について図２０を用いて説明する。
まず、図７の便器使用判定処理の説明にて前述したパラメータ「人体」が「有」かどうかをチェックし（Ｓ７０１）、人体「無」であればセンサ２０に内蔵されたＬＥＤ２０ａを消灯し（Ｓ７１１）この処理を終了する。もし人体「有」である場合には、図１９の説明で前述した発電機異常が検出されていないかをチェックし（Ｓ７０２）、発電機異常が検出されていなければ、次に図１８および図１９の説明で前述した電解槽オープン異常が検出されていないか（Ｓ７０３）、電解槽ショート異常が検出されていないか（Ｓ７０４）、電極寿命が検出されていないか（Ｓ７０５）を順次チェックし、いずれの異常も検出されていない場合にはそのままこの処理を終了する。
【００９７】
もし、発電機異常が検出されておらず（Ｓ７０２：No）、電解槽オープン異常、電解槽ショート異常、電極寿命の３つの異常のうちいずれかの異常が検出されている場合には、まず切替部１４の充電制御部１４ｂをオンに設定して（Ｓ７０６）、発電機１からの発電出力を蓄電部１５に切り替え、続いてソレノイドバルブ開のフラグが「１」ではないことを確認して（Ｓ７０７）、開閉弁２を開き（Ｓ７０８）、ソレノイドバルブ開のフラグを「１」に設定し（Ｓ７０８）便器洗浄を開始する。それからセンサ２０に内蔵された感知ＬＥＤ２０ａを点滅させて（Ｓ７１０）使用者に便器洗浄装置に異常があることを知らせる。このときセンサ２０に内蔵されている感知ＬＥＤ２０ａを点滅させることで蓄電部１５に充電された電力を大きく消費してしまうが、同時に開閉弁２を開き発電機１で発電された電力を蓄電部１５に供給することで、消費される電力を補うようになっているため、蓄電部１５に充電された電力が不足したときのバックアップのために備えられた一次電池６を無駄に消費することがないようにしている。
【００９８】
また、発電機異常が検出されている場合には（Ｓ７０２：Yes）、開閉弁２は開せずにそのままセンサ２０に内蔵された感知ＬＥＤ２０ａを点滅させて（Ｓ７１０）使用者に便器洗浄装置に異常があることを知らせる。このとき開閉弁２を開する動作と切替部１４の充電制御部１４ｂをオンさせる動作を実施しないのは、発電機１に異常が検出されているため、発電機１は正常に電力を出力できない状態にあり、蓄電部１５に発電機１から新たに充電することができないため、これまで蓄電部１５に蓄電された電力を、開閉弁２の開・閉動作や充電電力供給制御部１４ｂをオンさせる動作で不必要に消費しないようにするためである。
【００９９】
以上のフローチャートに従って制御された場合の、便器洗浄装置の動作の具体例について図２１のタイミングチャートを用いて説明する。図２１（ａ）は電解槽オープン異常もしくは電解槽ショート異常を検出した場合のタイミングチャートで、まず使用者が小便器４を使用しセンサ２０が使用者を５秒以上連続して検知した後、小便器４の前から立ち去ると切替部１４の充電制御部１４ｂをオンし開閉弁２（ソレノイド）を開し便器洗浄を行いながら、発電機１の発電電力を蓄電部１５に充電する。
その後、小便器４を誰も使用しない時間がｔ２時間（小便器４の使用頻度により可変する）継続した場合、小便器４の排水トラップや排水管内の細菌を殺菌するために電解水洗浄を実施する必要があるため、まず予備洗浄を行い排水トラップや配水管内の残水を置換するが、このとき切替部１４の充電電力供給制御部１４ｂをオンし開閉弁２を開し便器洗浄を行いながら、発電機１の発電電力を蓄電部１５に充電する。その後、所定のインターバルの後、再度開閉弁２を開駆動し洗浄水の電気伝導度に基づいた電流が電解槽３に通電されるように電解制御部１６により制御しながら電解水洗浄を行う。
【０１００】
そして同様の動作が繰り返され、再度電解水洗浄を実施したときに、このとき発電機１より電解槽３に通電される電解電流および電解電圧のいずれか一方が所定値以下であった場合は、電解槽オープン異常もしくは電解槽ショート異常が検出され、電解水洗浄は直ちに停止する。その後、使用者が小便器４を使用しセンサ２０が使用者を５秒以上連続して検知すると、この小便器洗浄システムに異常があることを使用者に報知するために、切替部１４の充電制御部１４ｂをオンすると同時に開閉弁２を開駆動し、小便器４に洗浄水を流し発電機１の発電出力を蓄電部１５に充電しながら、センサ２０に内蔵された感知ＬＥＤ２０ａを点滅させる。このようにして感知ＬＥＤを点滅させることで蓄電部１５に充電された電力を大量に消費し、蓄電部１５の充電電力が不足し、バックアップ用の一次電池のエネルギーを不必要に消費してしまうことを防止する。そして、使用者が小便器４の前から立ち去りセンサ２０が使用者を検知しなくなると、センサ２０の感知ＬＥＤ２０ａを消灯し使用者への報知を終了し、所定の便器洗浄時間が終了後、開閉弁２を閉駆動し切替部１４の充電制御部１４ｂをオフして発電機１と蓄電部１５との接続が遮断される。そして以降も使用者が小便器４を使用する度に同様の動作が繰り返される。
【０１０１】
図２１（ｂ）は電極寿命となった場合のタイミングチャートで、まず（ａ）の場合と同様の動作が行われるが、タイミングチャート内で二度目の電解水洗浄のタイミングが通算２００００回目の電解水洗浄となり、予備洗浄および電解水洗浄が終了した時点で電極寿命が検出される。その後、使用者が小便器４を使用しセンサ２０が使用者を５秒以上連続して検知すると、この小便器洗浄システムに異常があることを使用者に報知するために、切替部１４の充電制御部１４ｂをオンすると同時に開閉弁２を開駆動し、小便器４に洗浄水の流し発電機１の発電出力を蓄電部１５に充電しながら、センサ２０に内蔵された感知ＬＥＤ２０ａを点滅させる。そして、使用者が小便器４の前から立ち去りセンサ２０が使用者を検知しなくなると、センサ２０の感知ＬＥＤ２０ａを消灯し使用者への報知を終了し、所定の便器洗浄時間が終了後、開閉弁２を閉駆動し切替部１４の充電制御部１４ｂをオフして発電機１と蓄電部１５との接続が遮断される。そして以降も使用者が小便器４を使用する度に同様の動作が繰り返される。
【０１０２】
次に図２１（ｃ）は発電機異常を検出した場合のタイミングチャートで、まず（ａ）の場合と同様の動作が行われるが、タイミングチャート内で二度目の電解水洗浄のタイミングで、発電機１より電解槽３に通電される電解電流および電解電圧の双方が所定値以下となり、発電機異常が検出されると、電解水洗浄は直ちに停止する。その後、使用者が小便器４を使用しセンサ２０が使用者を５秒以上連続して検知すると、この小便器洗浄システムに異常があることを使用者に報知するために、センサ２０に内蔵された感知ＬＥＤ２０ａを点滅させる。そして、使用者が小便器４の前から立ち去りセンサ２０が使用者を検知しなくなると、センサ２０の感知ＬＥＤ２０ａを消灯し使用者への報知を終了し、所定の便器洗浄時間が終了後、開閉弁２を閉駆動し切替部１４の充電制御部１４ｂをオフして発電機１と蓄電部１５との接続が遮断される。そして以降も使用者が小便器４を使用する度に同様の動作が繰り返される。
【０１０３】
次に便器洗浄装置の人体検出時特殊処理に関する別の実施形態について図２２を用いて説明する。
まず、センサ２０が使用者を検知したかどうかをチェックし（Ｓ７０１）、検知していなければセンサ２０に内蔵されたＬＥＤ２０ａを消灯し（Ｓ７２２）この処理を終了する。センサが使用者を検知している場合には、次に図７の説明で前述したオンディレータイマＴonが３秒以下かどうかをチェックし（Ｓ７０２）、Ｔonが３秒以上であればセンサ２０に内蔵されたＬＥＤ２０ａを消灯し（Ｓ７２２）この処理を終了する。もしオンディレータイマＴonが３秒以下となっている場合、センサ２０が使用者を感知してから２秒以上経っており、使用者が小便器４の前を通過しただけではなく、確実に小便器４を使用していると判断し、次に使用者が小便器４の使用を開始したタイミングで小便器４を一旦洗浄する前洗浄を実施するため、前洗浄機能が有効とするか無効とするかの設定がどうなっているかをチェックする（Ｓ７０３）。前洗浄機能が無効に設定されている場合には、図１９の説明で前述した発電機異常が検出されていないかをチェックし（Ｓ７０４）、発電機異常が検出されていれば、オンディレータイマＴonが０秒かどうかをチェックし（Ｓ７０６）、０秒でなければセンサ２０に内蔵された感知ＬＥＤ２０ａを点滅させて（Ｓ７１５）小便器４の使用者に異常が発生していることを報知する。もしＴonが０秒になっていれば（Ｓ７０６：Yes）、センサ２０に内蔵された感知ＬＥＤ２０ａを消灯し（Ｓ７２２）小便器４の使用者への異常の報知を終了する。
【０１０４】
前洗浄機能が無効と設定されている状態で（Ｓ７０３：No）、発電機異常が検出されていない場合（Ｓ７０４：No）、図１８および図１９の説明で前述した電解槽オープン異常電解槽ショート異常、電極寿命のいずれかの異常が検出されていないかをチェックし（Ｓ７０４）、異常が検出されていなければセンサ２０に内蔵されたＬＥＤ２０ａを消灯し（Ｓ７２２）この処理を終了する。
【０１０５】
次に前洗浄機能が有効に設定されている場合、もしくは前洗浄機能は無効に設定されているが、発電機異常は検出されておらず、かつ電解槽オープン異常、電解槽ショート異常、電極寿命のいずれかの異常が検出されている場合には、前洗浄を実施するための処理に進む。まず、オンディレータイマＴonが２秒以下かどうかをチェックするが（Ｓ７０７）、最初にこのステップを処理する時点では２秒以上であるため、次にＴonが０秒になっているかどうかをチェックすると０秒ではないため（Ｓ７０９）、充電電力供給をオンに設定して（Ｓ７１０）、発電機１からの発電出力を蓄電部１５に切り替え、続いてソレノイドバルブ開のフラグが「１」ではないことを確認して（Ｓ７１１）、開閉弁２を開き（Ｓ７１２）、ソレノイドバルブ開のフラグを「１」に設定し（Ｓ７１３）便器洗浄を開始する。そして前述した４つの異常を検出しているかをどうかをチェックし（Ｓ７１４）、異常を検出していなければそのままこの処理を終了し単に前洗浄を実施するが、もし異常を検出していればセンサ２０に内蔵された感知ＬＥＤ２０ａを点滅させて（Ｓ７１５）使用者に便器洗浄装置に異常があることを知らせる。このときセンサ２０に内蔵されている感知ＬＥＤ２０ａを点滅させることで蓄電部１５に充電された電力を大きく消費してしまうが、同時に前洗浄が実施されることになり、発電機１で発電された電力を蓄電部１５に供給することで、消費される電力を補うようになっているため、蓄電部１５に充電された電力が不足したときのバックアップのために備えられた一次電池６を無駄に消費することがないようにしている。
【０１０６】
そして、前洗浄を開始してから１秒経過するとオンディレータイマＴonが２秒以下となるため（Ｓ７０７：No）、次に前洗浄の時間が「長」に設定されているか（本実施例では３秒）、「短」に設定されているか（本実施例では１秒）をチェックし（Ｓ７０８）、前洗浄時間が３秒に設定されていれば、そのまま前洗浄を継続する（Ｓ７０９〜Ｓ７１５）。もし前洗浄時間が１秒に設定されている場合には（Ｓ７０８：No）、次に前記４つの異常のうちいずれかの異常が検出されているかどうかをチェックし（Ｓ７１６）、もし異常が検出されている場合は使用者に異常を少しでも長く知らせるために、そのまま前洗浄を継続する（Ｓ７０９〜Ｓ７１５）。異常が検出されていない場合には、前洗浄時間が終了したため、ソレノイドバルブ開のフラグをチェックし、「１」であれば（Ｓ７１７）、開閉弁２を閉じ（Ｓ７１８）、ソレノイドバルブ開のフラグに「０」をセットする（Ｓ７１９）。また、開閉弁２を一旦閉じる処理を行った後はソレノイドバルブ開のフラグは「０」になっているため（Ｓ７１７：No）開閉弁２を閉じる処理（Ｓ７１８）は実行されない。そしてセンサ２０に内蔵されている感知ＬＥＤ２０ａを消灯し（Ｓ７２０）、切替部１４の充電制御部１４ｂをオフして（Ｓ７２１）発電機１と蓄電部１５との接続が遮断される、この処理を終了する。
【０１０７】
もし前洗浄時間が３秒に設定されているか（Ｓ７０７：Yes）、あるいは前洗浄時間は１秒に設定されているが前述した４つの異常のいずれかが発生している場合には（Ｓ７１４６Yes）、オンディレータイマＴonが０秒になるまで（Ｓ７０９）前洗浄を継続するとともに、もし異常が発生している場合にはセンサ２０に内蔵された感知ＬＥＤ２０ａを点滅させて使用者に異常の報知を行い、３秒間の前洗浄を実施後、前洗浄終了処理を実施する（Ｓ７１７〜Ｓ７２１）。
【０１０８】
以上のフローチャートに従って制御された場合の、便器洗浄装置の動作の具体例について図２３のタイミングチャートを用いて説明する。図２３（ａ）は前洗浄機能が「有効」、前洗浄時間「３秒」に設定されているときに、電解槽オープン異常もしくは電解槽ショート異常を検出した場合を表すタイミングチャートで、まず使用者が小便器４を使用しセンサ２０が使用者を２秒以上連続して検知すると、切替部１４の充電制御部１４ｂをオンし開閉弁２（ソレノイド）を開し便器洗浄を行いながら発電機１の発電電力を蓄電部１５に充電する。そして３秒経過すると開閉弁２を閉し前洗浄を終了し、切替部１４の充電制御部１４ｂをオフする。その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
【０１０９】
その後、小便器４を誰も使用しない時間がｔ２時間（小便器４の使用頻度により可変する）継続した場合、小便器４の排水トラップや排水管内の細菌を殺菌するために電解水洗浄を実施する必要があるため、まず予備洗浄を行い排水トラップや配水管内の残水を置換するが、このとき切替部１４の充電電力供給制御部１４ｂをオンし開閉弁２を開し便器洗浄を行いながら、発電機１の発電電力を蓄電部１５に充電する。その後、所定のインターバルの後、再度開閉弁２を開駆動し洗浄水の電気伝導度に基づいた電流が電解槽３に通電されるように電解制御部１６により制御しながら電解水洗浄を行う。
【０１１０】
そして同様の動作が繰り返され、再度電解水洗浄を実施したときに、このとき発電機１より電解槽３に通電される電解電流および電解電圧のいずれか一方が所定値以下であった場合は、電解槽オープン異常もしくは電解槽ショート異常が検出され、電解水洗浄は直ちに停止する。その後、使用者が小便器４を使用しセンサ２０が使用者を２秒以上連続して検知すると、前洗浄を実施するため切替部１４の充電制御部１４ｂをオンし開閉弁２を開することで発電機１の発電出力を蓄電部１５に充電するが、このとき小便器洗浄システムに異常があることを使用者に報知するためにセンサ２０に内蔵された感知ＬＥＤ２０ａを点滅させる。このようにすることで感知ＬＥＤ２０ａを点滅させることで蓄電部１５に充電された電力を大量に消費し、蓄電部１５の充電電力が不足し、バックアップ用の一次電池のエネルギーを不必要に消費してしまうことを防止すると同時に、使用者に小便器洗浄システムの異常が発生していることを確実に報知することができる。そして前洗浄時間の３秒が終了すると、センサ２０の感知ＬＥＤ２０ａを消灯し使用者への報知を終了し、開閉弁２を閉駆動し切替部１４の充電制御部１４ｂをオフして発電機１と蓄電部１５との接続を遮断する。
【０１１１】
その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
そして以降も使用者が小便器４を使用する度に同様の動作が繰り返される。
【０１１２】
図２３（ｂ）は前洗浄機能「有効」、前洗浄時間「１秒」に設定されているときに電極寿命を検出した場合のタイミングチャートで、まず使用者が小便器４を使用しセンサ２０が使用者を２秒以上連続して検知すると、切替部１４の充電制御部１４ｂをオンし開閉弁２（ソレノイド）を開し便器洗浄を行いながら発電機１の発電電力を蓄電部１５に充電する。そして１秒経過すると開閉弁２を閉し前洗浄を終了し、切替部１４の充電制御部１４ｂをオフする。そして、センサ２０が使用者を検知し始めてから５秒以上経過した後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
【０１１３】
その後、図２３（ａ）で説明したように電解水洗浄が実施されるが、タイミングチャート内で二度目の電解水洗浄のタイミングが通算２００００回目の電解水洗浄となり、予備洗浄および電解水洗浄が終了した時点で電極寿命が検出される。その後使用者が小便器４を使用しセンサ２０が使用者を２秒以上連続して検知すると、前洗浄を実施するため切替部１４の充電制御部１４ｂをオンし開閉弁２を開することで発電機１の発電出力を蓄電部１５に充電するが、このとき小便器洗浄システムに異常があることを使用者に報知するためにセンサ２０に内蔵された感知ＬＥＤ２０ａを点滅させる。このとき前洗浄時間の設定としては「１秒」となっているが、使用者に小便器洗浄システムに異常があることを確実に報知するために、前洗浄時間は強制的に「３秒」に伸ばして実施され、その後センサ２０の感知ＬＥＤ２０ａを消灯し使用者への報知を終了し、開閉弁２を閉駆動して前洗浄を終了するとともに、切替部１４の充電制御部１４ｂをオフして発電機１と蓄電部１５との接続を遮断する。
【０１１４】
その後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
そして以降も使用者が小便器４を使用する度に同様の動作が繰り返される。
【０１１５】
図２３（ｃ）は前洗浄機能が「無効」に設定されているときに、発電機異常を検出した場合を表すタイミングチャートで、まず使用者が小便器４を使用しセンサ２０が使用者を２秒以上連続して検知するが、前洗浄機能が「無効」に設定されているため前洗浄は実施されない。そして、センサ２０が使用者を検知し始めてから５秒以上経過した後、使用者が小便器４の前から立ち去りセンサ２０が使用者を検知しなくなると、切替部１４の充電制御部１４ｂをオンし開閉弁２を開し便器洗浄を行いながら、発電機１の発電電力を蓄電部１５に充電し、便器洗浄終了後開閉弁２を閉し、切替部１４の充電制御部１４ｂをオフし発電機１と蓄電部１５との接続を遮断する。
【０１１６】
その後、図２３（ａ）で説明したように電解水洗浄が実施されるが、電解水洗浄中に電解槽３に通電する電解電流、電解電圧の双方が所定値以下となり発電機異常を検出すると、電解水洗浄は直ちに停止する。その後、使用者が小便器４を使用しセンサ２０が使用者を２秒以上連続して検知し、前洗浄が行われるタイミングになると、この小便器洗浄システムに異常があることを使用者に報知するために、センサ２０に内蔵された感知ＬＥＤ２０ａを点滅させる。ただし、このときは前洗浄機能が「無効」に設定されており、かつ発電機１の出力に異常があり開閉弁２を開して洗浄水を流しても蓄電部１５に充電することができないため、前洗浄は実施せずに、感知ＬＥＤ２０ａの点滅のみ３秒間実施される
【０１１７】
また、発電機異常を検出した場合でも、前洗浄機能が「有効」で前洗浄時間が「３秒」に設定されているときは図２３（ａ）のタイミングチャートで説明した動作と同様の動きとなり、前洗浄機能が「有効」で前洗浄時間が「１秒」に設定されているときには図２３（ｂ）のタイミングチャートで説明した動作と同様の動きとなり（ただし、タイミングチャート内で２回目の電解水洗浄は、発電機異常を検出した時点で終了する）、使用者が小便器４を使用しセンサ２０が使用者を２秒以上連続して検知すると、前洗浄を実施するため切替部１４の充電制御部１４ｂをオンし開閉弁２を開することで発電機１の発電出力を蓄電部１５に充電するが、このとき小便器洗浄システムに異常があることを使用者に報知するためにセンサ２０に内蔵された感知ＬＥＤ２０ａを点滅させる。
【０１１８】
以上の説明では、人体センサ２０に内蔵された感知ＬＥＤ２０ａを点滅させることで異常の報知を行うようにしたが、例えばビルの集中管理システムや故障診断システム、あるいは小便器４とは別に設置された各装置の動作状態を表示するシステムなどに、便器洗浄装置の制御装置１０から異常が発生しているというデータを送信し、このようなシステム上で異常を報知することも可能である。
【図面の簡単な説明】
【０１１９】
【図１】本発明の便器洗浄装置の具体例を表す模式図。
【図２】本発明の便器洗浄装置の構成を表すブロック図。
【図３】本発明の発電手段を表す模式図。
【図４】本発明の殺菌成分生成のメカニズムを表す概念図。
【図５】本発明の銀イオンの添加量を５ｐｐｂとするための特性線を例示するグラフ図。
【図６】本発明の制御の基本シーケンスを表すフローチャート。
【図７】本発明の便器使用判定処理の内容を表すフローチャート。
【図８】本発明の電解洗浄判定処理の内容を表すフローチャート。
【図９】本発明の便器洗浄処理の内容を表すフローチャート。
【図１０】本発明の電解洗浄処理の内容を表すフローチャート。
【図１１】本発明の電気伝導度測定処理の内容を表すフローチャート。
【図１２】本発明の電解水洗浄処理の内容を表すフローチャート。
【図１３】本発明の人体検出時特殊処理の内容を表すフローチャート。
【図１４】本発明の便器洗浄装置の動作タイミングを表すタイミングチャート。
【図１５】本発明の人体検出時特殊処理の内容を表すフローチャート。
【図１６】本発明の便器洗浄装置の動作タイミングを表すタイミングチャート。
【図１７】本発明の電解洗浄処理の内容を表すフローチャート。
【図１８】本発明の電解水洗浄処理の内容を表すフローチャート。
【図１９】本発明の電気伝導度測定処理の内容を表すフローチャート。
【図２０】本発明の人体検出時特殊処理の内容を表すフローチャート。
【図２１】本発明の便器洗浄装置の動作タイミングを表すタイミングチャート。
【図２２】本発明の人体検出時特殊処理の内容を表すフローチャート。
【図２３】本発明の便器洗浄装置の動作タイミングを表すタイミングチャート。
【符号の説明】
【０１２０】
１…発電手段
２…開閉弁
３…電解槽
３ａ、３ｂ…電極
４…小便器
５…給水管
６…一次電池
１０…制御装置
１１…制御部
１２…電磁弁駆動部
１３…整流部
１４…切替部
１４ａ…電解電力供給制御部
１４ｂ…充電制御部
１５…充電部
１５ｂ…蓄電手段
１６…電解電力供給部
１６ａ…電圧制限部
１６ｂ…電流供給部
１６ｃ…定電流制御部
１７…電圧測定部
１８…電流測定部
２０…人体センサ
２０ａ…感知ＬＥＤ
【図１】
2006097240.tif 000003
【図２】
2006097240.tif 000004
【図３】
2006097240.tif 000005
【図４】
2006097240.tif 000006
【図５】
2006097240.tif 000007
【図６】
2006097240.tif 000008
【図７】
2006097240.tif 000009
【図８】
2006097240.tif 000010
【図９】
2006097240.tif 000011
【図１０】
2006097240.tif 000012
【図１１】
2006097240.tif 000013
【図１２】
2006097240.tif 000014
【図１３】
2006097240.tif 000015
【図１４】
2006097240.tif 000016
【図１５】
2006097240.tif 000017
【図１６】
2006097240.tif 000018
【図１７】
2006097240.tif 000019
【図１８】
2006097240.tif 000020
【図１９】
2006097240.tif 000021
【図２０】
2006097240.tif 000022
【図２１】
2006097240.tif 000023
【図２２】
2006097240.tif 000024
【図２３】
2006097240.tif 000025